(57)【特許請求の範囲】
【請求項１】
内側胴部ＩＴと外側胴部ＯＴと正面胸部Ｂ１と多数のスリットから構成されるニット編み地部分であるスリット編み部ＭＳＨからなる円周方向に縫い目のない円筒形状のニット編み地９９において、前記スリット編み部ＭＳＨを構成する多数のスリットは、スリット編み部ＭＳＨの表面と裏面を貫通した細長い隙間であって、その直下の段目を伏目で編み、その直上の段目を表目又は裏目で編むことにより形成されてなり、それらの上下から力を受け、上下に広げられて多数の菱形形状の貫通開口部を形成し、ニット編み地９９の塑性性から元のスリット形状には戻らず、常時菱形形状の貫通開口部を保持してなり、
内側胴部ＩＴを外側胴部ＯＴの下端の折り線Ｌ１で内側に折りこみ、正面部切断線ＣＬ１と背面部切断線ＣＬ２と一対の側面部切断線ＣＬ３を切断して、正面胸部Ｂ１と正面側ストラップＳＴ１と背面側ストラップＳＴ２を形成するブラジャー１００において、正面側ストラップＳＴ１と背面側ストラップＳＴ２を縫着してストラップＳＴを形成し、正面胸部Ｂ１の裏側又は表側に一対の胸カップ部ＢＣ１の上部開口部を除く周縁部ｃｂを縫着して一対の胸カップ部ＢＣを形成してなることを特徴とするブラジャー１００の製造方法。
【請求項２】
前記スリット編み部ＭＳＨを構成するスリットは、その直下の段目を伏目で編み、その直上の段目を作り目で編むことにより形成されることを特徴とする請求項１に記載されたブラジャー１００の製造方法。
【請求項３】
前記の一対の胸カップ部ＢＣ１が、一対の胸カップ部ＢＣ１からなる円周方向に縫い目のない円筒形状のニット編み地９９から切断して形成されたものであることを特徴とする請求項１〜２の何れかに記載されたブラジャー１００の製造方法。
【請求項４】
前記の一対の胸カップ部ＢＣに、パッドＰＤが収納してなることを特徴とする請求項１〜３の何れかに記載されたブラジャー１００の製造方法。
【請求項５】
一対の胸カップ部ＢＣを形成してなる正面胸部Ｂ１以外の正面胸部Ｂ１が、スリット編み部ＭＳＨであるのことを特徴とする請求項１〜４の何れかに記載されたブラジャー１００の製造方法。
【請求項６】
背面のスリット編み部ＭＳＨは、上記肩ストラップがタスキ状に交叉した形状からなることを特徴とする請求項１〜５の何れかに記載されたブラジャー１００の製造方法。
【発明の詳細な説明】
【技術分野】
【０００１】
本発明は、円周方向に縫い目のない円筒形状のニット編み地から形成されたブラジャーに関する。
【背景技術】
【０００２】
従来技術として、ニット編み地から形成されたブラジャーは、就寝時や運動時などに適するものとして知られていた。
しかし、上記ブラジャーは伸び縮みし易いので装着が容易であるというメリットを有するものの、上記ブラジャーにどのような欠点があるのか知られていなかった。
【発明の開示】
【０００３】
発明者は、かかる従来技術の欠点を鋭意研究した結果、本願発明の課題を発見し、課題を鋭意研究した結果、本願考案を完成させた。
円周方向に縫い目のない円筒形状のニット編み地から形成されたブラジャーの欠点として、装着したままで就寝あるいは運動等した場合であっても、通気性を向上させて蒸れ感を抑制した特性を具備していないという欠点があることが分った。
そこで、
発明者は、ブラジャーに通気性を向上させて蒸れ感を抑制した特性を具備させる手段をどうしたらよいかということを鋭意研究した結果、ニット編み地に穴を開けることを想到したが、穴の形状を開ける編み方というのは複雑な編み方となるので、そうではなくて、スリット状に切れ目（横方向）を入れる編み方ができるかどうかを検討した結果、スリットの直下段の網目を伏目にし、スリットの直上段（次の段）の網目を表目／又は裏目／又は作り目にすれば、スリット状に切れ目を入れる編み方が可能であることが分った。
しかし、スリット状に切れ目は、開口面積は殆ど０であるので、常識的に考えれば、通気性を向上させて蒸れ感を抑制した特性を持たせることは非常に困難と思われるが、実際に試作してみたところ、編み地から形成されたブラジャーのスリット状に切れ目は、重力等によりスリットの上方及び下方から引張られて、菱形形状に綺麗に開口し、スリットの上方及び下方からの引張力が取り除かれた後でも、組成変形したままで、菱形形状に綺麗に開口したままが維持されることを発見した。
すなわち、驚いたことに、ニット地にスリット状に切れ目を入れる編み方をすれば、実質上、ニット地に菱形形状の綺麗な穴を空ける編み方をしたことと同じ結果を得ることできた。
【先行技術文献】
【特許文献】
【０００４】
本願発明に係るブラジャー１００について、ＦＩ、キーワード検索を行ったところ、本件発明（請求項１〜５に記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、着心地を良くするために周方向に縫い目がなく、かつ、セーターと同じ感覚で装着が容易であって、円周方向に縫い目のない円筒形状のニット編み地９９から形成されたブラジャー１００を提供することである。
○本発明が解決しようとする第２課題
本発明が解決しようとする第２課題は、装着したままで就寝あるいは運動等した場合であっても、通気性を向上させて蒸れ感を抑制した、円周方向に縫い目のない円筒形状のニット編み地９９から形成されたブラジャー１００を提供することである。
○本発明が解決しようとする第３課題
本発明が解決しようとする第３課題は、撫で肩の人でも、あるいは就寝時でも、ストラップが外れにくく、真ん中に乳房を寄せる働きもするタスキ掛けストラップのから構成された、円周方向に縫い目のない円筒形状のニット編み地９９から形成されたブラジャー１００を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○内側胴部ＩＴとは、円周方向に縫い目のない円筒形状のニット編み地９９の構成要素であって、内側胴部ＩＴを外側胴部ＯＴの下端の折り線Ｌ１で内側に折りこんだ際に、ブラジャー１００の内側を構成する部分である。
○外側胴部ＯＴとは、円周方向に縫い目のない円筒形状のニット編み地９９の構成要素であって、内側胴部ＩＴを外側胴部ＯＴの下端の折り線Ｌ１で内側に折りこみ、内側胴部ＩＴを外側胴部ＯＴの下端の折り線Ｌ１で内側に折りこんだ際に、ブラジャー１００の外側を構成する部分である。
○正面胸部Ｂ１とは、円周方向に縫い目のない円筒形状のニット編み地９９の構成要素であって、ブラジャー１００の正面部の胸部を構成する部分である。
○スリット編み部ＭＳＨとは、多数のスリットから構成されるニット編み地部分である。多数のスリットは、規則正しく配置されている。
スリット編み部ＭＳＨを構成する多数のスリットは、それらの上下から力を受け、上下に広げられて多数の菱形形状の貫通開口部を形成し、ニット編み地９９の塑性性から元のスリット形状には戻らず、常時菱形形状の貫通開口部を保持して、通気性を向上させて蒸れ感を抑制する効果を発揮する。
○スリットとは、スリット編み部ＭＳＨの表面と裏面を貫通した細長い隙間をいう。スリット編み部ＭＳＨの表面又は裏面から見たスリットの開口面積は、細長いが殆ど０である。
常識的には、スリットの開口面積が殆ど０では、通気性を向上させて蒸れ感を抑制する効果を十分発揮するとは思われないところ、
スリット編み部ＭＳＨを構成する多数のスリットは、それらの上下から力を受け、上下に広げられて多数の菱形形状の貫通開口部を形成し、ニット編み地９９の塑性性から元のスリット形状には戻らず、常時菱形形状の貫通開口部を保持して、通気性を向上させて蒸れ感を抑制する効果を発揮することを、発明者は思いがけず発見した（図１５参照）。
スリットは、その直下の段目を伏目で編み、その直上の段目を表目／又は裏目／又は作り目で編むことにより、スリット編み部ＭＳＨを形成することができる。
○円周方向に縫い目のない円筒形状のニット編み地９９とは、螺旋状に網目を形成して編んだ、円周方向に縫い目のない円筒形状のニット編み地をいう。
○下端の折り線Ｌ１とは、内側胴部ＩＴと外側胴部ＯＴの境界線であって下外側胴部ＯＴの下端の折り線をいう。
○正面部切断線ＣＬ１とは、内側胴部ＩＴと外側胴部ＯＴと正面胸部Ｂ１とスリット編み部ＭＳＨからなる円周方向に縫い目のない円筒形状のニット編み地９９の正面部にある切断線であり、切断することによって、ブラジャー１００の構成要素である側胸部Ｂ１とスリット編み部ＭＳＨ等を形成するための切断線である。
○背面部切断線ＣＬ２とは、内側胴部ＩＴと外側胴部ＯＴと正面胸部Ｂ１とスリット編み部ＭＳＨからなる円周方向に縫い目のない円筒形状のニット編み地９９の背面部にある切断線であり、切断することによって、ブラジャー１００の構成要素である側胸部Ｂ１とスリット編み部ＭＳＨ等を形成するための切断線である。
○一対の側面部切断線ＣＬ３とは、内側胴部ＩＴと外側胴部ＯＴと正面胸部Ｂ１とスリット編み部ＭＳＨからなる円周方向に縫い目のない円筒形状のニット編み地９９の正面部及び背面部にあり、切断することによって、ブラジャー１００の構成要素である側胸部Ｂ１とスリット編み部ＭＳＨ等を形成するための切断線である。
○一対の胸カップ部ＢＣとは、胸を大きく、かつ、形よく見せるために、パッドＰＤを詰めるための左右一対の袋体であり、正面胸部Ｂ１の裏側又は表側に一対の胸カップ部ＢＣ１の上部開口部を除く周縁部ｃｂを縫着して一対の胸カップ部ＢＣが形成される。
○一対の胸カップ部ＢＣ１とは、一対の胸カップ部ＢＣの構成要素であって、正面胸部Ｂ１の裏側又は表側に当該一対の胸カップ部ＢＣ１の上部開口部を除く周縁部ｃｂを縫着して一対の胸カップ部ＢＣを形成するものである。
○正面側ストラップＳＴ１とは、内側胴部ＩＴと外側胴部ＯＴと正面胸部Ｂ１とスリット編み部ＭＳＨからなる円周方向に縫い目のない円筒形状のニット編み地９９において、正面部切断線ＣＬ１と背面部切断線ＣＬ２と一対の側面部切断線ＣＬ３を切断して、ブラジャー１００を構成するストラップＳＴの正面側を構成する部分をいう。
○背面側ストラップＳＴ２とは、内側胴部ＩＴと外側胴部ＯＴと正面胸部Ｂ１とスリット編み部ＭＳＨからなる円周方向に縫い目のない円筒形状のニット編み地９９において、正面部切断線ＣＬ１と背面部切断線ＣＬ２と一対の側面部切断線ＣＬ３を切断して、ブラジャー１００を構成するストラップの背面側を構成する部分をいう。
○ブラジャー１００とは、乳房を保護し、胸の形を整えるための下着をいう。
本発明に係る、ブラジャー１００は、胸カップ部ＢＣと正面側ストラップＳＴ１と背面側ストラップＳＴ２から構成される。
本発明に係る、ブラジャー１００は、手編みで編まれるほか、丸編機（まるあみき）によって編まれる。
○ストラップＳＴとは、ブラジャー１００（ストラップＳＴを除く。）を肩から吊るすために用いる吊りひもをいう。
本発明に係る、ストラップＳＴにおいては、正面側ストラップＳＴ１と背面側ストラップＳＴ２を縫着してストラップＳＴとする。
○パッドＰＤとは、胸を大きく、かつ、形よく見せるために、ブラジャー１００の一対の胸カップ部ＢＣに詰めるための詰め物をいう。
○丸編機（まるあみき）とは、針釜と呼ばれる円筒（シリンダー）の円周上に一定数の編針を植え込んでおき、このシリンダーを回転させながら編針に上下運動を与え、  編目を構成していく編機（なかにはカムと呼ばれる針に上下動を与える装置を回転させ、シリンダーは固定したものもある）の総称をいう。
○外側とは、人がブラジャーを装着した場合、人と反対方向に向かう方向をいう。
○内側とは、人がブラジャーを装着した場合、人の方向に向かう方向をいう。
○正面側とは、人がブラジャーを装着した場合、人の前方の側をいう。
○背面側とは、人がブラジャーを装着した場合、人の後方の側をいう。
○正面部とは、正面図における正面方向の側  （正面図における紙背側と反対の側）の部分をいう。
円周方向に縫い目のない円筒形状のニット編み地９９は、正面部と背面部とから構成される。
○背面部とは、正面図における正面方向の側（正面図における紙背側と反対の側）の部分をいう。
円周方向に縫い目のない円筒形状のニット編み地９９は、正面部と背面部とから構成される。
＜記号の説明＞
○Ｌ０〜Ｌ４は、内側胴部ＩＴと外側胴部ＯＴと正面胸部Ｂ１とメッシュ編み部ＭＳＨのそれぞれの周方向の境界線を表す。
○Ｌ０とＬ１は、内側胴部ＩＴの周方向の上端と下端の境界線を表す。
○Ｌ１とＬ２は、外側胴部ＯＴの周方向の上端と下端の境界線を表す。
○Ｌ２とＬ３は、正面胸部Ｂ１の周方向の上端と下端の境界線を表す。
○Ｌ１とＬ２は、メッシュ編み部ＭＳＨの周方向の上端と下端の境界線を表す。
＜本願発明に係るブラジャーの作製手順＞
●ステップ１（ｓ１）：第１のニット編み地９９１の作製
内側胴部ＩＴと外側胴部ＯＴと正面胸部Ｂ１とスリット編み部ＭＳＨからなる円周方向に縫い目のない円筒形状のニット編み地９９（第１のニット編み地９９１）を作製する。
●ステップ２（ｓ２）：第２のニット編み地９９２の作製する。
一対の胸カップ部ＢＣ１からなる円周方向に縫い目のない円筒形状のニット編み地９９（第２のニット編み地９９２）を作製する。
●ステップ３（ｓ３）：内側胴部ＩＴを折り線Ｌ１で内側に折りこむ。
内側胴部ＩＴを外側胴部ＯＴの下端の折り線Ｌ１で内側に折りこむ。
●ステップ４（ｓ４）：第１のニット編み地９９１の正面部切断線ＣＬ１と背面部切断線ＣＬ２と一対の側面部切断線ＣＬ３の切断
正面部切断線ＣＬ１と背面部切断線ＣＬ２と一対の側面部切断線ＣＬ３を切断して、正面胸部Ｂ１と正面側ストラップＳＴ１と背面側ストラップＳＴ２を形成する。
●ステップ５（ｓ５）：正面側ストラップＳＴ１と背面側ストラップＳＴ２の縫着
正面側ストラップＳＴ１と背面側ストラップＳＴ２を縫着してストラップＳＴを形成する。
●ステップ６（ｓ６）：正面胸部Ｂ１の裏側又は表側に一対の胸カップ部ＢＣ１を縫着
正面胸部Ｂ１の裏側又は表側に一対の胸カップ部ＢＣ１を縫着して一対の胸カップ部ＢＣを形成する。
●ステップ６（ｓ７）：ブラジャー１００の完成
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
内側胴部ＩＴと外側胴部ＯＴと正面胸部Ｂ１と多数のスリットから構成されるニット編み地部分であるスリット編み部ＭＳＨからなる円周方向に縫い目のない円筒形状のニット編み地９９において、前記スリット編み部ＭＳＨを構成する多数のスリットは、スリット編み部ＭＳＨの表面と裏面を貫通した細長い隙間であって、その直下の段目を伏目で編み、その直上の段目を表目又は裏目で編むことにより形成されてなり、それらの上下から力を受け、上下に広げられて多数の菱形形状の貫通開口部を形成し、ニット編み地９９の塑性性から元のスリット形状には戻らず、常時菱形形状の貫通開口部を保持してなり、
内側胴部ＩＴを外側胴部ＯＴの下端の折り線Ｌ１で内側に折りこみ、正面部切断線ＣＬ１と背面部切断線ＣＬ２と一対の側面部切断線ＣＬ３を切断して、正面胸部Ｂ１と正面側ストラップＳＴ１と背面側ストラップＳＴ２を形成するブラジャー１００において、正面側ストラップＳＴ１と背面側ストラップＳＴ２を縫着してストラップＳＴを形成し、正面胸部Ｂ１の裏側又は表側に一対の胸カップ部ＢＣ１の上部開口部を除く周縁部ｃｂを縫着して一対の胸カップ部ＢＣを形成してなることを特徴とするブラジャー１００の製造方法である。
○第２の発明（請求項２に記載の発明）
上記の課題を解決するための第２の発明（請求項２に記載の発明）は、
前記スリット編み部ＭＳＨを構成するスリットは、その直下の段目を伏目で編み、その直上の段目を作り目で編むことにより形成されることを特徴とする請求項１に記載されたブラジャー１００の製造方法である。
○第３の発明（請求項３に記載の発明）
上記の課題を解決するための第３の発明（請求項３に記載の発明）は、
前記の一対の胸カップ部ＢＣ１が、一対の胸カップ部ＢＣ１からなる円周方向に縫い目のない円筒形状のニット編み地９９から切断して形成されたものであることを特徴とする請求項１〜２の何れかに記載されたブラジャー１００の製造方法である。
○第４の発明（請求項４に記載の発明）
上記の課題を解決するための第４の発明（請求項４に記載の発明）は、
前記の一対の胸カップ部ＢＣに、パッドＰＤが収納してなることを特徴とする請求項１〜３の何れかに記載されたブラジャー１００の製造方法である。
○第５の発明（請求項５に記載の発明）
上記の課題を解決するための第５の発明（請求項５に記載の発明）は、
一対の胸カップ部ＢＣを形成してなる正面胸部Ｂ１以外の正面胸部Ｂ１が、スリット編み部ＭＳＨであるのことを特徴とする請求項１〜４の何れかに記載されたブラジャー１００の製造方法である。
○第６の発明（請求項６に記載の発明）
上記の課題を解決するための第６の発明（請求項６に記載の発明）は、
背面のスリット編み部ＭＳＨは、上記肩ストラップがタスキ状に交叉した形状からなることを特徴とする請求項１〜５の何れかに記載されたブラジャー１００の製造方法である。
【発明の効果】
【０００７】
本発明に係る、ブラジャー１００は、上記のような特徴的構成要件から構成され、特徴的構成要件に応じた、以下のような本願発明特有の効果を奏する。
また、上記の各発明に応じた、上記のような特徴的構成要件から構成されたブラジャー１００によれば、本発明の課題を十分解消することができた。
○第１の発明の効果
第１の発明によれば、
内側胴部ＩＴと外側胴部ＯＴと正面胸部Ｂ１と多数のスリットから構成されるニット編み地部分であるスリット編み部ＭＳＨからなる円周方向に縫い目のない円筒形状のニット編み地９９において、前記スリット編み部ＭＳＨを構成する多数のスリットは、スリット編み部ＭＳＨの表面と裏面を貫通した細長い隙間であって、その直下の段目を伏目で編み、その直上の段目を表目又は裏目で編むことにより形成されてなり、それらの上下から力を受け、上下に広げられて多数の菱形形状の貫通開口部を形成し、ニット編み地９９の塑性性から元のスリット形状には戻らず、常時菱形形状の貫通開口部を保持してなり、
内側胴部ＩＴを外側胴部ＯＴの下端の折り線Ｌ１で内側に折りこみ、正面部切断線ＣＬ１と背面部切断線ＣＬ２と一対の側面部切断線ＣＬ３を切断して、正面胸部Ｂ１と正面側ストラップＳＴ１と背面側ストラップＳＴ２を形成するブラジャー１００において、正面側ストラップＳＴ１と背面側ストラップＳＴ２を縫着してストラップＳＴを形成し、正面胸部Ｂ１の裏側又は表側に一対の胸カップ部ＢＣ１の上部開口部を除く周縁部ｃｂを縫着して一対の胸カップ部ＢＣを形成してなることという特徴的な構成要件により、本発明が解決しようとする第１課題〜第３課題を達成することができ、当業者予測不可能な顕著な効果を奏することができた。
○第２の発明の効果
第２の発明によれば、
前記スリット編み部ＭＳＨを構成するスリットは、その直下の段目を伏目で編み、その直上の段目を作り目で編むことにより形成されることという特徴的な構成要件により、本発明が解決しようとする第１課題〜第３課題を達成することができ、当業者予測不可能な顕著な効果を奏することができた。
○第３の発明の効果
第３の発明によれば、
前記の一対の胸カップ部ＢＣ１が、一対の胸カップ部ＢＣ１からなる円周方向に縫い目のない円筒形状のニット編み地９９から切断して形成されたものであることという特徴的な構成要件により、本発明が解決しようとする第１課題〜第３課題を達成することができ、当業者予測不可能な顕著な効果を奏することができた。
○第４の発明の効果
第４の発明によれば、
前記の一対の胸カップ部ＢＣに、パッドＰＤが収納してなることという特徴的な構成要件により、本発明が解決しようとする第１課題〜第３課題を達成することができ、当業者予測不可能な顕著な効果を奏することができた。
○第５の発明の効果
第５の発明によれば、
一対の胸カップ部ＢＣを形成してなる正面胸部Ｂ１以外の正面胸部Ｂ１が、スリット編み部ＭＳＨであるのことという特徴的な構成要件により、本発明が解決しようとする第１課題〜第３課題を達成することができ、当業者予測不可能な顕著な効果を奏することができた。
○第６の発明の効果
第６の発明によれば、
背面のスリット編み部ＭＳＨは、上記肩ストラップがタスキ状に交叉した形状からなることという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、ブラジャー１００に関する最良の実施形態について、図面を参照しながら説明する。
図１は、円周方向に縫い目のない円筒形状のニット編み地９９を表す斜視図である。
図２は、スリットを有するニット編み地の編み方を示す図ある。
図３は、図２のスリットを有するニット編み地の編み方を編記号で表した編み図である。
図４は、請求項１〜５記載のニット編み地９９の正面部を平面に展開した図である。
図５は、請求項１〜５記載の、正面部切断線ＣＬ１と一対の側面部切断線ＣＬ３を切断して、正面胸部Ｂ１と正面側ストラップＳＴ１を形成したブラジャー１００の正面部を表す図である。
図６は、請求項１〜５記載の、ニット編み地９９の背面部を平面に展開した図である。
図７は、請求項１〜５記載の、背面部切断線ＣＬ２と一対の側面部切断線ＣＬ３を切断して、背面側ストラップＳＴ２を形成するブラジャー１００において切断線ＣＬ３を切断して、背面側ストラップＳＴ１を形成したブラジャー１００の背面部を表す図である。
図８は、請求項６記載の、ニット編み地９９の正面部を平面に展開した図である。
図９は、請求項６記載の、正面部切断線ＣＬ１と一対の側面部切断線ＣＬ３を切断して正面胸部Ｂ１と正面側ストラップＳＴ１を形成したブラジャー１００の正面部を表す図である。
図１０は、請求項６記載の、ニット編み地９９の背面部を平面に展開した図である。
図１１は、請求項６記載の、背面部切断線ＣＬ２と一対の側面部切断線ＣＬ３を切断して、背面側ストラップＳＴ２を形成するブラジャー１００において切断線ＣＬ３を切断して、背面側ストラップＳＴ１を形成したブラジャー１００の背面部を表す図である。
図１２は、正面胸部Ｂ１の裏側に一対の胸カップ部ＢＣ１の上部開口部を除く周縁部ｃｂを縫着して一対の胸カップ部ＢＣを形成して、背面側ストラップＳＴ１を形成したブラジャー１００を裏側（背面側）から図である。
図１３は、本発明に係る、ブラジャー１００を作製する手順を示す工程図である。
図１４は、本発明に係る、ブラジャー１００を作製し、作製したブラジャーの正面から撮影した写真（正面図）である。
図１５は、本発明に係る、ブラジャー１００を作製し、作製したブラジャーの背面から撮影した写真（背面図）である。
以下、本発明に係る、ブラジャー１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のブラジャー１００において、
内側胴部ＩＴと外側胴部ＯＴと正面胸部Ｂ１と多数のスリットから構成されるニット編み地部分であるスリット編み部ＭＳＨからなる円周方向に縫い目のない円筒形状のニット編み地９９において、前記スリット編み部ＭＳＨを構成する多数のスリットは、スリット編み部ＭＳＨの表面と裏面を貫通した細長い隙間であって、その直下の段目を伏目で編み、その直上の段目を表目又は裏目で編むことにより形成されてなり、それらの上下から力を受け、上下に広げられて多数の菱形形状の貫通開口部を形成し、ニット編み地９９の塑性性から元のスリット形状には戻らず、常時菱形形状の貫通開口部を保持してなり、
内側胴部ＩＴを外側胴部ＯＴの下端の折り線Ｌ１で内側に折りこみ、正面部切断線ＣＬ１と背面部切断線ＣＬ２と一対の側面部切断線ＣＬ３を切断して、正面胸部Ｂ１と正面側ストラップＳＴ１と背面側ストラップＳＴ２を形成するブラジャー１００において、正面側ストラップＳＴ１と背面側ストラップＳＴ２を縫着してストラップＳＴを形成し、正面胸部Ｂ１の裏側又は表側に一対の胸カップ部ＢＣ１の上部開口部を除く周縁部ｃｂを縫着して一対の胸カップ部ＢＣを形成してなることを特徴とするブラジャー１００の製造方法が開示されている。
○第１の発明の効果
第１の発明によれば、
内側胴部ＩＴと外側胴部ＯＴと正面胸部Ｂ１と多数のスリットから構成されるニット編み地部分であるスリット編み部ＭＳＨからなる円周方向に縫い目のない円筒形状のニット編み地９９において、前記スリット編み部ＭＳＨを構成する多数のスリットは、スリット編み部ＭＳＨの表面と裏面を貫通した細長い隙間であって、その直下の段目を伏目で編み、その直上の段目を表目又は裏目で編むことにより形成されてなり、それらの上下から力を受け、上下に広げられて多数の菱形形状の貫通開口部を形成し、ニット編み地９９の塑性性から元のスリット形状には戻らず、常時菱形形状の貫通開口部を保持してなり、
内側胴部ＩＴを外側胴部ＯＴの下端の折り線Ｌ１で内側に折りこみ、正面部切断線ＣＬ１と背面部切断線ＣＬ２と一対の側面部切断線ＣＬ３を切断して、正面胸部Ｂ１と正面側ストラップＳＴ１と背面側ストラップＳＴ２を形成するブラジャー１００において、正面側ストラップＳＴ１と背面側ストラップＳＴ２を縫着してストラップＳＴを形成し、正面胸部Ｂ１の裏側又は表側に一対の胸カップ部ＢＣ１の上部開口部を除く周縁部ｃｂを縫着して一対の胸カップ部ＢＣを形成してなることという特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のブラジャー１００において、
スリット編み部ＭＳＨを構成するスリットは、その直下の段目を伏目で編み、その直上の段目を作り目で編むことにより形成されることを特徴とする請求項１に記載されたブラジャー１００の製造方法が開示されている。
○第２の発明の効果
第２の発明によれば、
スリット編み部ＭＳＨを構成するスリットは、その直下の段目を伏目で編み、その直上の段目を作り目で編むことにより形成されることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のブラジャー１００において、
前記の一対の胸カップ部ＢＣ１が、一対の胸カップ部ＢＣ１からなる円周方向に縫い目のない円筒形状のニット編み地９９から切断して形成されたものであることを特徴とする請求項１〜２の何れかにブラジャー１００の製造方法が開示されている。
○第３の発明の効果
第３の発明によれば、
前記の一対の胸カップ部ＢＣ１が、一対の胸カップ部ＢＣ１からなる円周方向に縫い目のない円筒形状のニット編み地９９から切断して形成されたものであることという特徴的な構成要件により、本発明が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のブラジャー１００において、
前記の一対の胸カップ部ＢＣに、パッドＰＤが収納してなることを特徴とする請求項１〜３の何れかに記載されたブラジャー１００の製造方法が開示されている。
○第３の発明の効果
第３の発明によれば、
前記の一対の胸カップ部ＢＣに、パッドＰＤが収納してなることという特徴的な構成要件により、本発明が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のブラジャー１００において、
一対の胸カップ部ＢＣを形成してなる正面胸部Ｂ１以外の正面胸部Ｂ１が、スリット編み部ＭＳＨであるのことを特徴とする請求項１〜４の何れかに記載されたブラジャー１００の製造方法が開示されている。
○第５の発明の効果
第５の発明によれば、
一対の胸カップ部ＢＣを形成してなる正面胸部Ｂ１以外の正面胸部Ｂ１が、スリット編み部ＭＳＨであるのことという特徴的な構成要件により、本発明が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のブラジャー１００において、
背面のスリット編み部ＭＳＨは、上記肩ストラップがタスキ状に交叉した形状からなることを特徴とする請求項１〜５の何れかに記載されたブラジャー１００の製造方法が開示されている。
○第６の発明の効果
第６の発明によれば、
背面のスリット編み部ＭＳＨは、上記肩ストラップがタスキ状に交叉した形状からなることという特徴的な構成要件により、本発明が解決しようとする第１課題〜第３課題を達成することができ、当業者予測不可能な顕著な効果を奏することができた。
【図面の簡単な説明】
【０００９】
【図１】図１は、円周方向に縫い目のない円筒形状のニット編み地９９を表す斜視図である。
【図２】図２は、スリットを有するニット編み地の編み方を示す図ある。
【図３】図３は、図２のスリットを有するニット編み地の編み方を編記号で表した  編み図である。
【図４】図４は、請求項１〜５記載のニット編み地９９の正面部を平面に展開した図である。
【図５】図５は、請求項１〜５記載の、正面部切断線ＣＬ１と一対の側面部切断線ＣＬ３を切断して、正面胸部Ｂ１と正面側ストラップＳＴ１を形成したブラジャー１００の正面部を表す図である。
【図６】図６は、請求項１〜５記載の、ニット編み地９９の背面部を平面に展開した図である。
【図７】図７は、請求項１〜５記載の、背面部切断線ＣＬ２と一対の側面部切断線ＣＬ３を切断して、背面側ストラップＳＴ２を形成するブラジャー１００において切断線ＣＬ３を切断して、背面側ストラップＳＴ１を形成したブラジャー１００の背面部を表す図である。
【図８】図８は、請求項６記載の、ニット編み地９９の正面部を平面に展開した図である。
【図９】図９は、請求項６記載の、正面部切断線ＣＬ１と一対の側面部切断線ＣＬ３を切断して、正面胸部Ｂ１と正面側ストラップＳＴ１を形成したブラジャー１００の正面部を表す図である。
【図１０】図１０は、請求項６記載の、ニット編み地９９の背面部を平面に展開した図である。
【図１１】図１１は、請求項６記載の、背面部切断線ＣＬ２と一対の側面部切断線ＣＬ３を切断して、背面側ストラップＳＴ２を形成するブラジャー１００において切断線ＣＬ３を切断して、背面側ストラップＳＴ１を形成したブラジャー１００の背面部を表す図である。
【図１２】図１２は、正面胸部Ｂ１の裏側に一対の胸カップ部ＢＣ１の上部開口部を除く周縁部ｃｂを縫着して一対の胸カップ部ＢＣを形成して、背面側ストラップＳＴ１を形成したブラジャー１００を裏側（背面側）から図である。
【図１３】図１３は、本発明に係る、ブラジャー１００を作製する手順を示す工程図である。
【図１４】図１４は、本発明に係る、ブラジャー１００を作製し、作製したブラジャーの正面から撮影した写真（正面図）である。
【図１５】図１５は、本発明に係る、ブラジャー１００を作製し、作製したブラジャーの背面から撮影した写真（背面図）である。  図４、図８に示されたＣＬ２は、ＣＬ３の誤りである。
【符号の説明】
【００１０】
ＩＴ……内側胴部
ＯＴ……外側胴部
Ｂ１……正面胸部
ＭＳＨ……メッシュ編み部
９９……円周方向に縫い目のない円筒形状のニット編み地
Ｌ１……下端の折り線
ＣＬ１……正面部切断線
ＣＬ２……背面部切断線
ＣＬ３……一対の側面部切断線
ＢＣ……一対の胸カップ部
ＢＣ１……対の表側胸カップ部
ＳＴ１……正面側ストラップ
ＳＴ２……背面側ストラップ
１００……ブラジャー
ＳＴ……ストラップ
ＰＤ……パッド
【要約】
【課題】着心地を良くするために周方向に縫い目がなく、かつ、セーターと同じ感覚で装着が容易であって、円周方向に縫い目のない円筒形状のニット編み地９９から形成されたブラジャー１００を提供することである。
【解決手段】内側胴部ＩＴと外側胴部ＯＴと正面胸部Ｂ１とスリット編み部ＭＳＨからなる円周方向に縫い目のない円筒形状のニット編み地９９において、内側胴部ＩＴを外側胴部ＯＴの下端の折り線Ｌ１で内側に折りこみ、正面部切断線ＣＬ１と背面部切断線ＣＬ２と一対の側面部切断線ＣＬ３を切断して、一対の胸カップ部ＢＣと正面側ストラップＳＴ１と背面側ストラップＳＴ２を形成するブラジャー１００において、正面側ストラップＳＴ１と背面側ストラップＳＴ２を縫着してストラップＳＴを形成し、正面胸部Ｂ１の裏側又は表側に一対の胸カップ部ＢＣ１の上部開口部を除く周縁部ｃｂを縫着して一対の胸カップ部ＢＣを形成してなることを特徴とするブラジャー１００。
【選択図】図１【図１３】
0006005248.tif 000002
【図１】
0006005248.tif 000003
【図２】
0006005248.tif 000004
【図３】
0006005248.tif 000005
【図４】
0006005248.tif 000006
【図５】
0006005248.tif 000007
【図６】
0006005248.tif 000008
【図７】
0006005248.tif 000009
【図８】
0006005248.tif 000010
【図９】
0006005248.tif 000011
【図１０】
0006005248.tif 000012
【図１１】
0006005248.tif 000013
【図１２】
0006005248.tif 000014
【図１４】
0006005248.tif 000015
【図１５】
0006005248.tif 000016